(57)【特許請求の範囲】
【請求項１】
無線通信のための装置であって、
制御チャネルを備える少なくとも１つの第１の直交周波数分割多重（ＯＦＤＭ）記号の受信電力を決定し、前記少なくとも１つの第１のＯＦＤＭ記号の受信電力に基づいて受信機利得を決定し、ページング情報を取得するために、前記受信機利得に基づいて少なくとも１つの第２のＯＦＤＭ記号を処理し、ここで、前記第２のＯＦＤＭ記号は少なくともページングチャネルを備える、アイドル状態で動作している端末に割り当てられるスーパーフレームを決定し、前記割り当てられたスーパーフレーム間でスリープし、割り当てられた各スーパーフレーム内の前記少なくとも１つの第１のＯＦＤＭ記号と前記少なくとも１つの第２のＯＦＤＭ記号とを処理してページング情報を取得するように構成される少なくとも１つのプロセッサと、
前記少なくとも１つのプロセッサに接続されたメモリと
を備える装置。
【請求項２】
前記少なくとも１つのプロセッサは、前記少なくとも１つの第１のＯＦＤＭ記号の持続期間より短い時間定数を有する自動利得制御（ＡＧＣ）ループに基づいて、前記受信機利得を決定するように構成される請求項１に記載の装置。
【請求項３】
前記少なくとも１つのプロセッサは、先行のアウェイク間隔から保存された受信機利得を用いて前記ＡＧＣループを初期化し、次のアウェイク間隔で用いるために現在のアウェイク間隔の受信機利得を保存するように構成される請求項２に記載の装置。
【請求項４】
前記少なくとも１つのプロセッサは、前記少なくとも１つの第１のＯＦＤＭ記号と、前記少なくとも１つの第２のＯＦＤＭ記号とを、スーパーフレームプレアンブルで受信するように構成される請求項１に記載の装置。
【請求項５】
前記少なくとも１つの第１のＯＦＤＭ記号と、前記少なくとも１つの第２のＯＦＤＭ記号とは、同様の又は周知の送信電力レベルで送信される請求項１に記載の装置。
【請求項６】
前記少なくとも１つのプロセッサは、前記少なくとも１つの第２のＯＦＤＭ記号の直前に、前記少なくとも１つの第１のＯＦＤＭ記号を受信するように構成される請求項１に記載の装置。
【請求項７】
前記少なくとも１つのプロセッサは、前記少なくとも１つの第１のＯＦＤＭ記号として単一のＯＦＤＭ記号をスーパーフレームプレアンブルの始点で受信するように構成され、前記単一のＯＦＤＭ記号は、無線通信システムのための制御情報を搬送する請求項１に記載の装置。
【請求項８】
前記少なくとも１つのプロセッサは、前記単一のＯＦＤＭ記号の直後、前記少なくとも１つの第２のＯＦＤＭ記号として４つの連続するＯＦＤＭ記号を受信するように構成される請求項７に記載の装置。
【請求項９】
前記ページング情報は、ページが前記端末へ送信されているかを示す請求項１に記載の装置。
【請求項１０】
前記ページング情報は、ページングインジケータを備え、前記少なくとも１つのプロセッサは、前記ページングインジケータに基づいて、ページが前記端末へ潜在的に送信されたかを判定するように構成される請求項１に記載の装置。
【請求項１１】
前記少なくとも１つのプロセッサは、前記受信機利得に基づいて、少なくとも１つの捕捉パイロットのための少なくとも１つの第３のＯＦＤＭ記号を処理するように構成される請求項１に記載の装置。
【請求項１２】
前記少なくとも１つの第１のＯＦＤＭ記号は、順方向一次ブロードキャスト制御チャネル（Ｆ−ＰＢＣＣＨ）を備え、前記少なくとも１つの第２のＯＦＤＭ記号は、順方向クイック・ページング・チャネル（Ｆ−ＱＰＣＨ）を備える請求項１に記載の装置。
【請求項１３】
無線通信のための方法であって、
制御チャネルを備える少なくとも１つの第１の直交周波数分割多重（ＯＦＤＭ）記号の受信電力を決定することと、
前記少なくとも１つの第１のＯＦＤＭ記号の受信電力に基づいて受信機利得を決定することと、
ページング情報を取得するために、前記受信機利得に基づいて少なくとも１つの第２のＯＦＤＭ記号を処理することと、ここで、前記第２のＯＦＤＭ記号は、少なくともページングチャネルを備える、
アイドル状態で動作している端末に割り当てられるスーパーフレームを決定することと、
前記割り当てられたスーパーフレーム間でスリープすることと、
割り当てられた各スーパーフレーム内の前記少なくとも１つの第１のＯＦＤＭ記号と前記少なくとも１つの第２のＯＦＤＭ記号とを処理してページング情報を取得すること、
を備える方法。
【請求項１４】
前記受信機利得を決定することは、前記少なくとも１つの第１のＯＦＤＭ記号の持続期間より短い時間定数を有する自動利得制御（ＡＧＣ）ループに基づいて、前記受信機利得を決定することを備える請求項１３に記載の方法。
【請求項１５】
前記少なくとも１つの第２のＯＦＤＭ記号の直前に、前記少なくとも１つの第１のＯＦＤＭ記号として単一のＯＦＤＭ記号を受信することを更に備える請求項１３に記載の方法。
【請求項１６】
前記ページング情報に基づいて、ページが前記端末へ送信されているか、前記端末へ潜在的に送信されたかを判定することを更に備える請求項１３に記載の方法。
【請求項１７】
無線通信のための装置であって、
制御チャネルを備える少なくとも１つの第１の直交周波数分割多重（ＯＦＤＭ）記号の受信電力を決定する手段と、
前記少なくとも１つの第１のＯＦＤＭ記号の受信電力に基づいて受信機利得を決定する手段と、
ページング情報を取得するために、前記受信機利得に基づいて少なくとも１つの第２のＯＦＤＭ記号を処理する手段と、ここで、前記第２のＯＦＤＭ記号は、少なくともページングチャネルを備える、
アイドル状態で動作している端末に割り当てられるスーパーフレームを決定する手段と、
前記割り当てられたスーパーフレーム間でスリープする手段と、
割り当てられた各スーパーフレーム内の前記少なくとも１つの第１のＯＦＤＭ記号と前記少なくとも１つの第２のＯＦＤＭ記号とを処理してページング情報を取得する手段と、
を備える装置。
【請求項１８】
前記受信機利得を決定する手段は、前記少なくとも１つの第１のＯＦＤＭ記号の持続期間よりも短い時間定数を有する自動利得制御（ＡＧＣ）ループに基づいて前記受信機利得を決定する手段を備える請求項１７に記載の装置。
【請求項１９】
前記少なくとも１つの第２のＯＦＤＭ記号の直前に、前記少なくとも１つの第１のＯＦＤＭ記号として単一のＯＦＤＭ記号を受信する手段を更に備える請求項１７に記載の装置。
【請求項２０】
前記ページング情報に基づいて、ページが、前記端末に送信されているか、前記端末に潜在的に送信されたかを判定する手段を更に備える請求項１７に記載の装置。
【請求項２１】
少なくとも１つのコンピュータに、制御チャネルを備える少なくとも１つの第１の直交周波数分割多重（ＯＦＤＭ）記号の受信電力を決定させるコードと、
前記少なくとも１つのコンピュータに、前記少なくとも１つの第１のＯＦＤＭ記号の受信電力に基づいて受信機利得を決定させるコードと、
ページング情報を取得するために、前記少なくとも１つのコンピュータに、前記受信機利得に基づいて少なくとも１つの第２のＯＦＤＭ記号を処理させるコードと、ここで、前記第２のＯＦＤＭ記号は、少なくともページングチャネルを備える、
前記少なくとも１つのコンピュータに、アイドル状態で動作している端末に割り当てられるスーパーフレームを決定させるコードと、
前記少なくとも１つのコンピュータに、前記割り当てられたスーパーフレーム間でスリープさせるコードと、
前記少なくとも１つのコンピュータに、割り当てられた各スーパーフレーム内の前記少なくとも１つの第１のＯＦＤＭ記号と前記少なくとも１つの第２のＯＦＤＭ記号とを処理してページング情報を取得させるコードと、
を記録するコンピュータ読取可能な記録媒体。
【請求項２２】
無線通信のための装置であって、
制御チャネルを備える少なくとも１つの第１の直交周波数分割多重（ＯＦＤＭ）記号を送信し、前記少なくとも１つの第１のＯＦＤＭ記号に後続して、少なくともページングチャネルにおけるページング情報を備える少なくとも１つの第２のＯＦＤＭ記号を送信するように構成された少なくとも１つのプロセッサであって、前記少なくとも１つの第１のＯＦＤＭ記号と前記少なくとも１つの第２のＯＦＤＭ記号とが同様の又は周知の送信電力レベルで送信され、前記少なくとも１つの第１のＯＦＤＭ記号は、前記少なくとも１つの第２のＯＦＤＭ記号の受信機利得を決定するために端末によって利用可能である少なくとも１つのプロセッサと、
前記少なくとも１つのプロセッサに接続されたメモリと
を備え、
ここで、前記少なくとも１つの第１のＯＦＤＭ記号は、順方向一次ブロードキャスト制御チャネル（Ｆ−ＰＢＣＣＨ）を備え、前記少なくとも１つの第２のＯＦＤＭ記号は、順方向クイック・ページング・チャネル（Ｆ−ＱＰＣＨ）を備える、装置。
【請求項２３】
前記少なくとも１つのプロセッサは、前記少なくとも１つの第１のＯＦＤＭ記号として単一のＯＦＤＭ記号をスーパーフレームプレアンブルの始点で送信し、前記単一のＯＦＤＭ記号の直後に前記少なくとも１つの第２のＯＦＤＭ記号を送信するように構成される請求項２２に記載の装置。
【請求項２４】
前記少なくとも１つのプロセッサは、前記少なくとも１つの第２のＯＦＤＭ記号に後続して、少なくとも１つの捕捉パイロットとして少なくとも１つの第３のＯＦＤＭ記号を送信するように構成される請求項２２に記載の装置。
【請求項２５】
前記ページング情報は、ページが送信されているか、潜在的に送信された少なくとも１つの端末を識別する請求項２２に記載の装置。
【請求項２６】
無線通信のための方法であって、
制御チャネルを備える少なくとも１つの第１の直交周波数分割多重（ＯＦＤＭ）記号を送信することと、
前記少なくとも１つの第１のＯＦＤＭ記号に後続して、少なくともページングチャネルにおけるページング情報を備える少なくとも１つの第２のＯＦＤＭ記号を送信することと
を備え、前記少なくとも１つの第１のＯＦＤＭ記号と前記少なくとも１つの第２のＯＦＤＭ記号とが同様の又は周知の送信電力レベルで送信され、前記少なくとも１つの第１のＯＦＤＭ記号は、前記少なくとも１つの第２のＯＦＤＭ記号の受信機利得を決定するために端末によって利用可能であり、
ここで、前記少なくとも１つの第１のＯＦＤＭ記号は、順方向一次ブロードキャスト制御チャネル（Ｆ−ＰＢＣＣＨ）を備え、前記少なくとも１つの第２のＯＦＤＭ記号は、順方向クイック・ページング・チャネル（Ｆ−ＱＰＣＨ）を備える、方法。
【請求項２７】
前記少なくとも１つの第１のＯＦＤＭ記号を送信することは、前記少なくとも１つの第１のＯＦＤＭ記号として単一のＯＦＤＭ記号をスーパーフレームプレアンブルの始点で送信することを備え、前記少なくとも１つの第２のＯＦＤＭ記号を送信することは、前記単一のＯＦＤＭ記号の直後に前記少なくとも１つの第２のＯＦＤＭ記号を送信することを備える請求項２６に記載の方法。
【請求項２８】
無線通信のための装置であって、
制御チャネルを備える少なくとも１つの第１の直交周波数分割多重（ＯＦＤＭ）記号を送信する手段と、
前記少なくとも１つの第１のＯＦＤＭ記号に後続して、少なくともページングチャネルにおけるページング情報を備える少なくとも１つの第２のＯＦＤＭ記号を送信する手段と
を備え、前記少なくとも１つの第１のＯＦＤＭ記号と前記少なくとも１つの第２のＯＦＤＭ記号とが同様の又は周知の送信電力レベルで送信され、前記少なくとも１つの第１のＯＦＤＭ記号は、前記少なくとも１つの第２のＯＦＤＭ記号の受信機利得を決定するために端末によって利用可能であり、
ここで、前記少なくとも１つの第１のＯＦＤＭ記号は、順方向一次ブロードキャスト制御チャネル（Ｆ−ＰＢＣＣＨ）を備え、前記少なくとも１つの第２のＯＦＤＭ記号は、順方向クイック・ページング・チャネル（Ｆ−ＱＰＣＨ）を備える、装置。
【請求項２９】
前記少なくとも１つの第１のＯＦＤＭ記号を送信する手段は、前記少なくとも１つの第１のＯＦＤＭ記号として単一のＯＦＤＭ記号をスーパーフレームプレアンブルの始点で送信する手段を備え、前記少なくとも１つの第２のＯＦＤＭ記号を送信する手段は、前記単一のＯＦＤＭ記号の直後に前記少なくとも１つの第２のＯＦＤＭ記号を送信する手段を備える請求項２８に記載の装置。
【請求項３０】
少なくとも１つのコンピュータに、制御チャネルを備える少なくとも１つの第１の直交周波数分割多重（ＯＦＤＭ）記号を送信させるコードと、
前記少なくとも１つのコンピュータに、前記少なくとも１つの第１のＯＦＤＭ記号に後続して、少なくともページングチャネルにおけるページング情報を備える少なくとも１つの第２のＯＦＤＭ記号を送信させるコードとを記録し、
ここで、前記少なくとも１つの第１のＯＦＤＭ記号と前記少なくとも１つの第２のＯＦＤＭ記号とが同様の又は周知の送信電力レベルで送信され、前記少なくとも１つの第１のＯＦＤＭ記号は、前記少なくとも１つの第２のＯＦＤＭ記号の受信機利得を決定するために端末によって利用可能であり、前記少なくとも１つの第１のＯＦＤＭ記号は、順方向一次ブロードキャスト制御チャネル（Ｆ−ＰＢＣＣＨ）を備え、前記少なくとも１つの第２のＯＦＤＭ記号は、順方向クイック・ページング・チャネル（Ｆ−ＱＰＣＨ）を備える、
コンピュータ読取可能な記録媒体。
【発明の詳細な説明】
【技術分野】
【０００１】
本開示は、一般に通信に関し、特に、無線通信システムにおける捕捉技術に関する。
【背景技術】
【０００２】
無線通信システムは、例えば音声、ビデオ、パケットデータ、メッセージング、ブロードキャスト等のような様々な通信サービスを提供するために広く開発されている。これらの無線システムは、利用可能なシステムリソースの共有によって多くのユーザをサポートすることができる多元接続システムであることができる。そのような多元接続システムの例は、符号分割多元接続（ＣＤＭＡ）システム、時分割多元接続（ＴＤＭＡ）システム、周波数分割多元接続（ＦＤＭＡ）システム、直交ＦＤＭＡ（ＯＦＤＭＡ）システム、単一キャリアＦＤＭＡ（ＳＣ−ＦＤＭＡ）システム等を含む。
【０００３】
無線通信システムは、システムの動作をサポートするために、様々なタイプの制御情報をブロードキャストすることができる。システム性能を改善するために、可能な限り確実に、かつ効率良く制御情報をブロードキャストすることが望ましい。更に、システム内の端末が効率良く動作できるように制御情報をブロードキャストすることが望ましい。
【０００４】
従って、当該技術分野において、無線通信システムにおいて制御情報を効率良くブロードキャストし、用いるための技術へのニーズがある。
【発明の概要】
【０００５】
本願は、本願の譲受人に譲渡され、参照によって本願に明確に組み込まれた、２００６年１２月４日出願の“SYSTEM AND METHOD FOR ACQUISITION IN WIRELESS COMMUNICATION SYSTEMS”と題された米国特許出願第６０／８６８，５２５号に対する優先権を主張する。
【０００６】
アイドル状態の端末による効率的な動作をサポートする技術が本明細書で説明される。１つの設計において、基地局は、予め定められた持続期間のスーパーフレームの各々で定期的にプレアンブルを送信することができる。プレアンブルは、順方向リンク送信の一部であり、制御情報及び／又はその他の情報を搬送する。スーパーフレームのプレアンブルは、ブロードキャスト制御チャネルのための少なくとも１つの第１の直交周波数分割多重（ＯＦＤＭ）記号と、それに続く、ページング関連チャネルのための少なくとも１つの第２のＯＦＤＭ記号とを含むことができる。
【０００７】
１つの設計において、端末は、スーパーフレームプレアンブル内の第１及び第２のＯＦＤＭ記号を受信し、少なくとも１つの第１のＯＦＤＭ記号の受信電力を決定することができる。端末はその後、少なくとも１つの第１のＯＦＤＭ記号の受信電力に基づいて、例えば少なくとも１つの第１のＯＦＤＭ記号の持続期間より短い時間定数を有する自動利得制御（ＡＧＣ）ループを用いて、受信機利得を決定することができる。端末は、ページング情報を取得するために、受信機利得に基づいて少なくとも１つの第２のＯＦＤＭ記号を処理することができる。受信機利得を決定するために少なくとも１つの第１のＯＦＤＭ記号を用いることにより、端末がページング情報を受信するためにアウェイクである時間を低減しながら、少なくとも１つの第２のＯＦＤＭ記号の復調性能を改善することが可能になりうる。
【０００８】
端末は、アイドル状態で動作し、端末に割り当てられるスーパーフレームを決定することができる。端末は、割り当てられたスーパーフレーム間でスリープし、ページング情報を取得するために、割り当てられた各スーパーフレーム内の第１及び第２のＯＦＤＭ記号を処理することができる。ページング情報は、ページが端末へ送信されているか、潜在的に送信されたかを示すことができる。端末は、ページング情報に基づいて適切なアクションを実行することができる。例えば、ページを受信するためにアウェイクのままでいたり、あるいは必要なアクションがない場合スリープに戻ることができる。
【０００９】
本開示の様々な局面及び特徴が以下でより詳細に説明される。
【図面の簡単な説明】
【００１０】
【図１】図１は、無線通信システムを示す。
【図２】図２は、周波数分割二重通信（ＦＤＤ）スーパーフレーム構成を示す。
【図３】図３は、時分割二重通信（ＴＤＤ）スーパーフレーム構成を示す。
【図４】図４は、スーパーフレームプレアンブルの設計を示す。
【図５】図５は、アイドル端末の動作を示す。
【図６】図６は、端末によって実行される処理を示す。
【図７】図７は、端末の装置を示す。
【図８】図８は、基地局によって実行される処理を示す。
【図９】図９は、基地局の装置を示す。
【図１０】図１０は、基地局及び端末のブロック図を示す。
【発明を実施するための形態】
【００１１】
図１は、複数の基地局１１０と複数の端末１２０とを備える無線通信システム１００を示す。無線通信システムは、アクセスネットワーク（ＡＮ）とも称されうる。「システム」及び「ネットワーク」という用語は、しばしば置換可能に用いられる。基地局は、端末と通信する局である。基地局は、アクセスポイント、ノードＢ、次世代ノードＢ等とも称されうる。各基地局１１０は、特定の地理的領域１０２の通信カバレージを提供する。「セル」という用語は、この用語が用いられる文脈に依存して、基地局及び／又はそのカバレージエリアを称することができる。システム容量を改善するために、基地局カバレージエリアは、たとえば３つの小さいエリア１０４ａ、１０４ｂ、及び１０４ｃのような複数の小さいエリアに分割することができる。各小さいエリアは、それぞれの基地局サブシステムによってサービス提供されることができる。「セクタ」という用語は、そのカバレージエリアにサービス提供している基地局及び／又は基地局サブシステムの最小カバレージエリアを称することができる。本明細書で説明される技術は、セクタ化されたセルを備えるシステムと、セクタ化されていないセルを備えるシステムとに用いることができる。簡略化のために、以下の説明では、「基地局」という用語は、セクタにサービス提供する局及びセルにサービス提供する局の総称として用いられる。
【００１２】
端末１２０は、システム全体に散在することができ、各端末は、固定式又は移動式であることができる。端末は、アクセス端末（ＡＴ）、モバイル局、ユーザ機器、加入者ユニット、局等とも称されうる。端末は、セルラー電話、携帯情報端末（ＰＤＡ）、無線通信デバイス、無線モデム、ハンドヘルドデバイス、ラップトップコンピュータ、コードレス電話等であることができる。端末は、０、１、又は複数の基地局と、与えられた任意の時間に順方向リンク及び／又は逆方向リンクで通信することができる。順方向リンク（すなわちダウンリンク）は、基地局から端末への通信リンクを称し、逆方向リンク（すなわちアップリンク）は、端末から基地局への通信リンクを称する。
【００１３】
集中型アーキテクチャの場合、システムコントローラ１３０は、基地局１１０に接続し、これらの基地局の調整及び制御を提供することができる。システムコントローラ１３０は、単一のネットワークエンティティ又はネットワークエンティティの集合であることができる。分散型アーキテクチャの場合、基地局は、必要に応じて互いに通信することができる。
【００１４】
本明細書で説明される技術は、例えばＣＤＭＡシステム、ＴＤＭＡシステム、ＦＤＭＡシステム、ＯＦＤＭＡシステム、及びＳＣ−ＦＤＭＡシステムのような様々な無線通信システムに用いることができる。ＣＤＭＡシステムは、例えばｃｄｍａ２０００、ユニバーサル地上無線アクセス（ＵＴＲＡ）等のような無線技術を実現することができる。ＯＦＤＭＡシステムは、例えばウルトラ・モバイル・ブロードバンド（ＵＭＢ）、次世代ＵＴＲＡ（Ｅ−ＵＴＲＡ）、ＩＥＥＥ  ８０２．１６、ＩＥＥＥ  ８０２．２０、Ｆｌａｓｈ−ＯＦＤＭＡ（登録商標）等のような無線技術を実現することができる。ＵＴＲＡ及びＥ−ＵＴＲＡは、“3rd Generation Partnership Project”（３ＧＰＰ）と名づけられた組織からの文書で説明される。ｃｄｍａ２０００及びＵＭＢは、“3rd Generation Partnership Project 2”（３ＧＰＰ２）と名づけられた組織からの文書で説明される。これら様々な無線技術及び規格は、当該技術分野において周知である。明確化のために、本技術のある局面は、以下でＵＭＢに関して説明され、下記記載の大部分においてＵＭＢ用語が用いられる。ＵＭＢは、何れも公的に入手可能である２００７年８月の“Physical Layer for Ultra Mobile Broadband (UMB) Air Interface Specification”と題された３ＧＰＰ２  Ｃ．Ｓ００８４−００１及び“Medium Access Control Layer For Ultra Mobile Broadband (UMB) Air Interface Specification”と題された３ＧＰＰ２  Ｃ．Ｓ００８４−００２で説明される。
【００１５】
無線通信システム１００は、ＯＦＤＭＡシステム（例えばＵＭＢシステム）であることができ、ＯＦＤＭを用いることができる。ＯＦＤＭは、システム帯域幅を、一般にトーン、値域等とも称される複数（Ｋ個）の直交サブキャリアに分割する。各サブキャリアは、データとともに変調されうる。隣接するサブキャリア間の間隔は定めることができ、サブキャリアの数はシステム帯域幅に依存しうる。例えば、１．２５ＭＨｚのシステム帯域幅の場合１２８個のサブキャリアがあり、２．５ＭＨｚの場合２５６個のサブキャリア、５ＭＨｚの場合５１２個のサブキャリア、１０ＭＨｚの場合１０２４個のサブキャリア、２０ＭＨｚの場合２０４８個のサブキャリア、等となりうる。
【００１６】
ＯＦＤＭ記号を生成するために、最大Ｋ個の変調記号が、送信に用いられるサブキャリアにマップされ、ゼロの信号値を有するゼロ記号は、送信に用いられない残りのサブキャリアにマップされる。合計Ｋ個の記号は、役立つ部分のＫ個の時間領域サンプルを取得するために、Ｋポイント離散逆フーリエ変換（ＩＤＦＴ）を用いて時間領域に変換することができる。Ｋ＋Ｃ個のサンプルを含むＯＦＤＭ記号を形成するために、役立つ部分の最後のＣ個のサンプルは反復され、役立つ部分の先頭に添付される。反復される部分はしばしば、サイクリックプレフィックスと称され、Ｃはサイクリックプレフィックスの長さである。サイクリックプレフィックスは、周波数選択フェーディングによって生じる記号間干渉（ＩＳＩ）をなくすために用いられる。ＯＦＤＭ記号は、Ｋ＋Ｃ個のサンプルピリオドでありうる１つのＯＦＤＭ記号ピリオド内で送信される。
【００１７】
無線通信システム１００は、ＦＤＤ又はＴＤＤの何れも用いることができる。ＦＤＤの場合、順方向リンクと逆方向リンクとに別々の周波数チャネルが用いられる。端末は、順方向リンク（ＦＬ）周波数チャネルでデータを受信し、同時に逆方向リンク（ＲＬ）周波数チャネルでデータを送信することができる。ＴＤＤの場合、単一の周波数チャネルが、順方向リンクと逆方向リンクとの両方に用いられる。送信タイムラインが時間間隔に分割され、ある時間間隔は順方向リンクのために用いられ、他の時間間隔は逆方向リンクのために用いられうる。端末は、逆方向リンクのために用いられる時間間隔内に単一の周波数チャネルでデータを送信することができ、順方向リンクのために用いられる時間間隔内にデータを受信することができる。
【００１８】
無線通信システム１００は、様々なフレーム構成を用いることができる。フレーム構成は、トラヒック／パケットデータ、制御情報、及びパイロットが順方向リンク及び逆方向リンクで送信される方式を示すことができる。いくつかの典型的なフレーム構成が以下に示される。
【００１９】
図２は、システム１００のために用いられうるＦＤＤスーパーフレーム構成２００の設計を示す。各リンクの送信タイムラインは、スーパーフレームのユニットに分割されうる。各スーパーフレームは、決定された又は変更可能な特定の持続期間に及ぶことができる。順方向リンクの場合、各スーパーフレームは、プレアンブルと、それに続くＭ個の物理層（ＰＨＹ）フレームとを含むことができる。ここで、Ｍは任意の整数値である。図２に示す設計において、各順方向リンクスーパーフレームは、０乃至２４のインデクスをもつ２５個のＰＨＹフレームを含む。一般に、「フレーム」という用語は、送信タイムライン内の時間間隔又は時間間隔内に送られる送信を称することができる。スーパーフレームプレアンブルは、端末が順方向リンク制御チャネルを受信し、その結果、システムにアクセスすることを可能にしうるパイロット及び制御情報を搬送することができる。制御情報は、システム情報、ブロードキャスト情報、オーバヘッド情報、シグナリング等とも称されうる。各ＰＨＹフレームは、トラヒックデータ、制御情報、パイロット等を搬送することができる。
【００２０】
逆方向リンクの場合も、各スーパーフレームは、Ｍ個のＰＨＹフレームを含むことができる。逆方向リンクの第１のＰＨＹフレームは、順方向リンクのスーパーフレームプレアンブルの長さによって延長されうる。逆方向リンクのスーパーフレームは、順方向リンクのスーパーフレームと時間調整されうる。
【００２１】
ＦＤＤスーパーフレーム構成２００の場合、基地局は、データ、制御情報、及びパイロットを、各順方向リンクＰＨＹフレームで１つ又は複数の端末へ送信することができる。１つ又は複数の端末は、データ、制御情報、及びパイロットを、各逆方向リンクＰＨＹフレームで基地局へ送信することができる。基地局及び与えられた端末は、順方向リンク及び逆方向リンクを介してデータを同時に送受信することができる。
【００２２】
図３は、システム１００のために用いられうるＴＤＤスーパーフレーム構成３００の設計を示す。図２の順方向リンクスーパーフレームについて上述したように、送信タイムラインはスーパーフレームに分割することができ、各スーパーフレームは、プレアンブルと、例えば２５個のＰＨＹフレームのような後続するＭ個のＰＨＹフレームとを含む。各スーパーフレームについて、ＭＦＬ個のＰＨＹフレームが順方向リンクに用いられ、ＭＲＬ個の残りのＰＨＹフレームが、逆方向リンクに用いられうる。ここで、Ｍ＝ＭＦＬ＋ＭＲＬである。Ｍ個の利用可能なＰＨＹフレームは、例えばＮＦＬ個の連続するＰＨＹフレームが順方向リンクに用いられ、続くＮＲＬ個の連続するＰＨＹフレームが逆方向リンクに用いられ、続くＮＦＬ個の連続するＰＨＹフレームが順方向リンクに用いられ、と繰り返されるように、順方向リンク及び逆方向リンクに割り当てられうる。図３に示す例において、ＮＦＬ＝ＮＲＬ＝１であり、偶数番号のインデクスをもつＰＨＹフレームが順方向リンクに用いられ、奇数番号のインデクスをもつＰＨＹフレームが逆方向リンクに用いられる。通常、ＭＦＬ、ＭＲＬ、ＮＦＬ、及びＮＲＬは任意の整数値であることができ、スーパーフレーム毎に変化することができる。更に、ＮＦＬ及びＮＲＬは、与えられたスーパーフレーム内で変化することができる。
【００２３】
ＴＤＤスーパーフレーム構成３００の場合、基地局は、データ、制御情報、及びパイロットを、各順方向リンクＰＨＹフレームで１つ又は複数の端末へ送信することができる。１つ又は複数の端末は、データ、制御情報、及びパイロットを、各逆方向リンクＰＨＹフレームで基地局へ送信することができる。端末は、与えられたＰＨＹフレームでも送信又は受信することができる。
【００２４】
一般に、スーパーフレームは、任意の数のＰＨＹフレームを含むことができ、各ＰＨＹフレームは、任意の数のＯＦＤＭ記号を含むことができる。スーパーフレームプレアンブルもまた、任意の数のＯＦＤＭ記号を含むことができ、ＰＨＹフレームに等しいことも等しくないこともある。１つの設計において、各スーパーフレームは２５個のＰＨＹフレームを含み、各ＰＨＹフレームは、８個のＯＦＤＭ記号を含み、スーパーフレームプレアンブルも８個のＯＦＤＭ記号を含む。
【００２５】
図２及び図３に示すように、ＦＤＤ及びＴＤＤの何れの場合も、各スーパーフレームは、そのスーパーフレームの始点にプレアンブルを含むことができる。スーパーフレームプレアンブルは、例えば捕捉、ページング等のような様々な目的のために端末によって用いられうる様々な制御チャネルを搬送することができる。表１は、１つの設計に従うスーパーフレームプレアンブルで送られうる制御チャネルのセットのリストであり、各制御チャネルの簡略な説明を提供する。  
【表１】
0005518951.tif 000002
【００２６】
図４は、各スーパーフレームで送ることができるスーパーフレームプレアンブル４００の設計を示す。この設計において、スーパーフレームプレアンブル４００は、０乃至７のインデクスをもつ８個のＯＦＤＭ記号を含む。第１のＯＦＤＭ記号０は、Ｆ−ＰＢＣＣＨで送信される展開専用パラメータに関する情報を搬送する。展開専用パラメータは、システム専用情報、展開幅静的パラメータ等とも称されうる。次の４つのＯＦＤＭ記号１乃至４は、Ｆ−ＳＢＣＣＨで送信されるセクタ専用パラメータに関する情報と、Ｆ−ＱＰＣＨで送信されるページング情報とを搬送する。１つの設計において、Ｆ−ＳＢＣＣＨ及びＦ−ＱＰＣＨは、交互のスーパーフレームで送信される。例えば、Ｆ−ＳＢＣＣＨは、偶数番号のインデクスをもつスーパーフレームのＯＦＤＭ記号１乃至４で送信され、Ｆ−ＱＰＣＨは、奇数番号のインデクスをもつスーパーフレームのＯＦＤＭ記号１乃至４で送信されることができる。Ｆ−ＳＢＣＣＨ及びＦ−ＱＰＣＨは、多重化され、他の方式で送信されることもできる。
【００２７】
次のＯＦＤＭ記号５は、第１の時分割多重化パイロット（ＴＤＭパイロット１）を搬送し、Ｆ−ＡＣＱＣＨを形成することができる。次のＯＦＤＭ記号６は、第２のＴＤＭパイロット（ＴＤＭパイロット２）を搬送し、最後のＯＦＤＭ記号７は、第３のＴＤＭパイロット（ＴＤＭパイロット３）を搬送する。Ｆ−ＯＳＩＣＨは、ＴＤＭパイロット２及び３で送信されうる。ＴＤＭパイロット１、２、及び３は、初期捕捉のために端末によって用いることができ、捕捉パイロットと称されうる。
【００２８】
図４は、スーパーフレームプレアンブル４００の特定の設計を示す。一般に、スーパーフレームプレアンブルは、例えば８、１６、３２、又はその他何らかの数のＯＦＤＭ記号のような任意の数のＯＦＤＭ記号を含むことができる。制御チャネル及びＴＤＭパイロットは、図４に示す特定の設計とは異なる方式で、スーパーフレームプレアンブルで送信されうる。例えば、Ｆ−ＰＢＣＣＨは、１つ又は複数のＯＦＤＭ記号で、及び／又は、スーパーフレームプレアンブルの他の場所で送信することができる。他の制御チャネルもまた、スーパーフレームプレアンブル外で送信されうる。例えば、逆方向リンクホッピングパターン、チャネルマッピング、送信電力、電力制御パラメータ、アクセスパラメータ等の情報は、予め定義されたスーパーフレーム内の通常のデータチャネルを用いて送信することができる。
【００２９】
端末は、初期捕捉のためにスーパーフレームプレアンブルを用いることができる。端末は、記号タイミング、フレームタイミング、スーパーフレームタイミング、周波数誤り、セクタ識別（ＩＤ）、及び／又は、スーパーフレームプレアンブルを送信するセクタに関するその他の情報を決定するために、まずＴＤＭパイロットを最初に検出することができる。端末は、時間、周波数、及びセクタＩＤの捕捉のためにＴＤＭパイロットを処理する場合、受信機利得を設定するＡＧＣのためのＦ−ＰＢＣＣＨのＯＦＤＭ記号あるいはＦ−ＳＢＣＣＨ／Ｆ−ＱＰＣＨのＯＦＤＭ記号を用いることができる。端末は次に、順方向リンクで送信される他のチャネルを復調するために用いられうる展開専用パラメータを取得するために、Ｆ−ＰＢＣＣＨを変調することができる。端末はその後、スーパーフレームプレアンブルを送信しているセクタとの通信のために用いられうるセクタ専用パラメータを取得するために、Ｆ−ＳＢＣＣＨを変調することができる。端末は次に、スーパーフレームプレアンブルから収集した情報全てを用いてシステムアクセスを実行することができる。
【００３０】
システムへのアクセス後、端末は、アクティブ状態又はアイドル状態で動作することができる。「状態」及び「モード」という用語は、しばしば置換可能に用いられる。アクティブ状態では、端末は、順方向リンクでデータを受信し、及び／又は逆方向リンクでデータを送信することができる。スリープ状態又は非アクティブ状態とも称されうるアイドル状態では、端末は、データを交換することができず、定期的にページをモニタすることができる。端末は、送受信する任意のデータがあるかに依存して、アクティブ状態とアイドル状態との間を遷移することができる。
【００３１】
Ｆ−ＰＢＣＣＨは、システム全体又はセクタのグループに適用可能である、例えばサイクリックプレフィックス持続期間、ガードサブキャリアの数、スーパーフレームインデクス（又はシステム時間）等のような展開専用パラメータを搬送することができる。展開専用パラメータは、比較的静的であり、稀にしか変化しない。１つのありうる例外はシステム時間であり、１６スーパーフレーム毎に、あるいはその他何らかの頻度で、更新されうる。展開専用パラメータは緩慢に変化するので、端末は、Ｆ−ＰＢＣＣＨで送信された情報を取得するためのたった一回の初期捕捉中にＦ−ＰＢＣＣＨを復調することができる。
【００３２】
Ｆ−ＰＢＣＣＨの１つの設計において、展開専用パラメータに関する情報を含むパケットは、Ｑ個のスーパーフレーム毎に生成されうる。ここでＱは、１６又はその他何らかの値であることができる。パケットは、システム情報ブロックとも称され、変調記号のセットを取得するために処理（例えば符号化及び記号マップ化）されうる。ＯＦＤＭ記号はその後、Ｆ−ＰＢＣＣＨに用いられるサブキャリアにマップされた変調記号のセットを用いて生成されうる。１つの設計において、各セクタは、利用可能なサブキャリア全てでＦ−ＰＢＣＣＨを送信することができ、異なるセクタからのＦ−ＰＢＣＣＨのためのＯＦＤＭ記号は、互いに干渉するであろう。別の設計において、近隣のセクタは、サブキャリアの解体されたセットでＦ−ＰＢＣＣＨを送信することができ、これら近隣のセクタからのＦ−ＰＢＣＣＨのためのＯＦＤＭ記号は、互いに干渉しないであろう。何れの場合も、与えられたセクタは、Ｑ個の連続するスーパーフレームの各々のプレアンブルで、Ｆ−ＰＢＣＣＨのための同じＯＦＤＭ記号を送信することができる。Ｆ−ＰＢＣＣＨは、他の方式でも送信されうる。例えばＦ−ＰＢＣＣＨのパケットは、処理され、Ｑ個のスーパーフレームにわたって送信することができる。
【００３３】
Ｆ−ＳＢＣＣＨは、特定のセクタに適用可能な、例えばホッピングパターン、パイロット構成、制御チャネル構成、送信アンテナ等のようなセクタ専用パラメータを搬送することができる。セクタ専用パラメータは、比較的静的であり、稀にしか変化しない。そのため、端末は、Ｆ−ＳＢＣＣＨで送信された情報を取得するためのたった一回の初期捕捉中にＦ−ＳＢＣＣＨを復調することができる。
【００３４】
Ｆ−ＱＰＣＨは、ページが端末へ送信されているかを端末が判定することを支援することができる任意の情報であるページング情報を搬送することができる。ページング情報は、ページされている端末のＩＤ、ページされている端末のＩＤの一部等を備えることができる。ページング情報はまた、ページングインジケータを備えることもできる。アイドル端末は、特定のページングインジケータにマップされることができ、各ページングインジケータは、そのページングインジケータにマップされた任意の端末がページされている場合（例えば「１」に）設定されうる。ページング情報は、ページされている端末を識別する他のタイプの情報を備えることもできる。
【００３５】
端末は、アイドル状態で動作することができ、ページング情報が端末へ送信されることができるあるスーパーフレームに割り当てられうる。端末は、バッテリー電力を節約するために、割り当てられたスーパーフレームの間の時間スリープすることができる。端末は、割り当てられたスーパーフレームの各々のプレアンブル中、ページング情報をモニタするためにウェイクアップすることができる。チャネル状態は、端末がスリープである時間中に変化することができ、受信した電力は、１つのアウェイク間隔から次のアウェイク間隔で変化しうる。良好な復調性能が得られるように、受信した電力に基づいて、受信機の利得を適正値に設定することが望ましい。
【００３６】
局面において、アイドルな端末は、端末がＦ−ＱＰＣＨでページング情報を受信するためにウェイクアップする場合常に、ＡＧＣのためのＦ−ＰＢＣＣＨを用いることができる。展開専用パラメータは非常に緩慢に変化しうるので、端末は、各アウェイク間隔にＦ−ＰＢＣＣＨを復調する必要がない。端末はＦ−ＰＢＣＣＨのＯＦＤＭ記号を、ＡＧＣ目的のためのバッファ記号として用いることができる。
【００３７】
図５は、１つの設計に従うアイドルな端末の動作を示す。端末は、割り当てられたスーパーフレームのプレアンブルの開始前に、時間Ｔ０でウェイクアップし、受信機をウォーミングアップすることができる。端末は、受信機の利得を設定するために、ＡＧＣループを動作することができる。現在のアウェイク間隔について、端末は、先行するアウェイク間隔中に定められた最後の受信機利得にＡＧＣループを初期化することができる。端末は、時間Ｔ１で始まるＦ−ＰＢＣＣＨのためのＯＦＤＭ記号の受信電力を測定し、このＯＦＤＭ信号のために適切な信号レベルが取得されうるように受信機利得を設定することができる。端末は、ＡＧＣループが１つのＯＦＤＭ記号ピリオド内に収束することができるように、ＯＦＤＭ記号持続期間と比べて短い時間定数を用いることができる。Ｆ−ＱＰＣＨのための第１のＯＦＤＭ記号の開始点である時間Ｔ２で、端末は、ページング情報を取得するためにＦ−ＱＰＣＨを復調することができる。時間Ｔ３で、端末は、必要なアクションがないことを、受信したページング情報に基づいて判定し、次の割り当てられたスーパーフレームまでスリープとなることができる。スリープとなる前に、端末は、現在のアウェイク間隔の最後の受信機利得を保存することができる。これは、次のアウェイク間隔の最初の受信機利得として用いられうる。端末は、割り当てられた各スーパーフレームに対して同じ処理を繰り返すことができる。
【００３８】
図４及び図５に示す設計の場合、Ｆ−ＰＢＣＣＨはＦ−ＱＰＣＨの直前に送信され、Ｆ−ＰＢＣＣＨのためのＯＦＤＭ記号は、ＡＧＣ目的のための参照として用いることができる。スーパーフレームプレアンブル内のＯＦＤＭ記号は全て、同一の又は同様の送信電力レベルで送信することができる。この場合、Ｆ−ＰＢＣＣＨのためのＯＦＤＭ記号の受信電力は、Ｆ−ＱＰＣＨのためのＯＦＤＭ記号の受信電力の良好な推定値となりうる。
【００３９】
一般に、端末は、ページング情報のための復調を実行する前に、ＡＧＣ目的のために周知の送信電力を用いた任意の順方向リンク送信を用いることができる。スーパーフレームプレアンブル内のＯＦＤＭ記号が同様の送信電力を用いて送信された場合、端末は、ページング情報より前のスーパーフレームプレアンブルにおける任意の観察に基づいて自身のＡＧＣを設定することができる。図５に示すように、ページング情報の直前の送信は、ＡＧＣのために用いられうる。これによって、割り当てられた各スーパーフレームのために端末がアウェイクである時間量を低減することができる。しかし、ＡＧＣのために用いられる送信は、ページング情報よりいくらかの時間前に起こることもある（図４又は図５には示さず）。
【００４０】
図４及び図５に示す設計の場合、Ｆ−ＰＢＣＣＨは、スーパーフレームプレアンブルの第１のＯＦＤＭ記号で送信され、Ｆ−ＱＰＣＨは、後続するＯＦＤＭ記号で送信される。Ｆ−ＰＢＣＣＨ及びＦ−ＱＰＣＨは、例えばプレアンブルの中間部あるいは終点のような、スーパーフレームの他の場所で送信することもできる。Ｆ−ＱＰＣＨは、ＡＧＣのための参照として用いられうる１つ又は複数のＴＤＭパイロットの後送信されることもできる。
【００４１】
初期捕捉中、端末は、展開専用パラメータを取得するために、Ｆ−ＰＢＣＣＨを復調することができる。Ｆ−ＰＢＣＣＨのＯＦＤＭ記号は、それがＦ−ＰＢＣＣＨの直前のＯＦＤＭ記号の受信電力レベルと大きく異なる受信電力レベルを有する場合、大きく歪むことがある。これは例えば、基地局が、ＦＤＤシステムにおける以前のＰＨＹフレームにおいてサービス提供するユーザを有さない場合、又は近隣のユーザがＴＤＤシステムにおける逆方向リンクで送信している場合、起こりうる。初期捕捉の性能低下を回避するために、端末はまず、スーパーフレームタイミングを取得するためにＴＤＭパイロットを検出し、その後、複数のスーパーフレームプレアンブルの平均をとることによって自身のＡＧＣを設定することができる。端末はその後、Ｆ−ＰＢＣＣＨのためのＯＦＤＭ記号を復調するための正確な設定値を有することができる。
【００４２】
図６は、端末によって実行される処理６００の設計を示す。少なくとも１つの第１のＯＦＤＭ記号の受信電力が決定されうる（ブロック６１２）。その後、少なくとも１つの第１のＯＦＤＭ記号の受信電力に基づいて、例えば、少なくとも１つの第１のＯＦＤＭ記号の持続期間より短い時間定数を有するＡＧＣループを用いて、受信機利得が決定されうる（ブロック６１４）。少なくとも１つの第２のＯＦＤＭ記号が、ページング情報を取得するために受信利得に基づいて処理されうる（ブロック６１６）。
【００４３】
少なくとも１つの第１のＯＦＤＭ記号は、Ｆ−ＰＢＣＣＨ又はその他何らかの制御チャネルを備えることができる。少なくとも１つの第２のＯＦＤＭ記号は、Ｆ−ＱＰＣＨ又はその他何らかのページング関連チャネルを備えることができる。第１及び第２のＯＦＤＭ記号は、スーパーフレームプレアンブルで受信されうる。第１のＯＦＤＭ記号は、第２のＯＦＤＭ記号の直前又はいくらか前に受信されうる。第１のＯＦＤＭ記号は、スーパーフレームプレアンブルの始点、あるいはスーパーフレームプレアンブルのその他何らかの場所で受信された単一のＯＦＤＭ記号であることができる。第１及び第２のＯＦＤＭ記号は、同様の又は周知の送信電力レベルで送信されうる。
【００４４】
端末は、アイドル状態での動作中、端末に割り当てられるスーパーフレームを決定することができる。端末は、割り当てられたスーパーフレーム間でスリープし、ページング情報を取得するために、割り当てられた各スーパーフレーム内の第１及び第２のＯＦＤＭ記号を処理することができる。ページング情報は、端末ＩＤ情報を備え、ページが端末へ送信されているか否かを示すことができる。ページング情報はまた、ページングインジケータを備え、ページが潜在的に端末へ送信されたかを示すこともできる。ページング情報は、例えばページのようなその他のページング関連情報を備えることもできる。
【００４５】
図７は、端末の装置７００の設計を示す。装置７００は、少なくとも１つの第１のＯＦＤＭ記号の受信電力を決定する手段（モジュール７１２）と、少なくとも１つの第１のＯＦＤＭ記号の受信電力に基づいて受信機利得を決定する手段（モジュール７１４）と、ページング情報を取得するために、受信機利得に基づいて少なくとも１つの第２のＯＦＤＭ記号を処理する手段（モジュール７１６）とを含む。
【００４６】
図８は、基地局によって実行されるプロセス８００の設計を示す。例えばスーパーフレームプレアンブルの始点で、制御情報を備える少なくとも１つの第１のＯＦＤＭ記号が送信されうる（ブロック８１２）。少なくとも１つの第１のＯＦＤＭ記号に後続して、ページング情報を備える少なくとも１つの第２のＯＦＤＭ記号が（例えば直ちに）送信されうる（ブロック８１４）。第１及び第２のＯＦＤＭ記号は、同様の又は周知の送信電力レベルで送信されうる。第１のＯＦＤＭ記号は、第２のＯＦＤＭ記号の受信機利得を決定するために、アイドル端末によって利用可能であることができる。
【００４７】
図９は、基地局の装置９００の設計を示す。装置９０００は、制御情報を備える少なくとも１つの第１のＯＦＤＭ記号を送信する手段（モジュール９１２）と、少なくとも１つの第１のＯＦＤＭ記号に後続して、ページング情報を備える少なくとも１つの第２のＯＦＤＭ記号を送信する手段（モジュール９１４）とを含む。
【００４８】
図７及び図９に示すモジュールは、プロセッサ、電子デバイス、ハードウェアデバイス、電子部品、論理回路、メモリ等、あるいはそれらの任意の組み合わせを備えることができる。
【００４９】
図１０は、図１のシステム１００における基地局のうちの１つ及び端末のうちの１つである、基地局１１０及び端末１２０の設計のブロック図を示す。基地局１１０で、送信（ＴＸ）データプロセッサ１０１４は、順方向リンクでの送信のためにスケジュールされた端末のデータソース１０１２からのトラヒックデータ、コントローラ／プロセッサ１０２０からの制御情報、スケジューラ１０３０からのスケジューリング情報等を受信することができる。例えば、コントローラ／プロセッサ１０２０は、Ｆ−ＰＢＣＣＨの展開専用情報、Ｆ−ＳＢＣＣＨのセクタ専用情報、及びＦ−ＱＰＣＨのページング情報を提供することができる。スケジューラ１０３０は、スケジュールされた端末のためのリソースの割当を提供することができる。データ及び制御情報は、それぞれ、データチャネル及び制御チャネルで送信されうる。ＴＸデータプロセッサ１０１４は、データ及び制御情報を処理（例えば、符号化及び記号マップ）し、（例えばＯＦＤＭのための）変調を実行し、出力チップを提供することができる。送信機（ＴＭＴＲ）１０１６は、出力チップを調整（例えば、アナログ変換、フィルタ、増幅、及びアップコンバート）し、アンテナ１０１８を介して送信されうる順方向リンク信号を生成することができる。
【００５０】
端末１２０で、アンテナ１０５２は、基地局１１０からの順方向リンク信号を受信し、受信した信号を受信機（ＲＣＶＲ）１０５４へ提供することができる。受信機１０５４は、受信した信号を調整及びデジタル化し、サンプルを提供することができる。受信（ＲＸ）データプロセッサ１０５６は、サンプルに（例えばＯＦＤＭのための）復調を実行し、結果として生じる記号を復調及び復号してデータ及び制御情報を取得することができる。プロセッサ１０５６は、復号したデータをデータシンク１０５８へ提供し、復号した制御情報をコントローラ／プロセッサ１０６０へ提供することができる。端末１２０は、アイドル状態で動作し、割り当てられた各スーパーフレームのプレアンブルより前にウェイクアップすることができる。受信機１０５４は、Ｆ−ＰＢＣＣＨのためのＯＦＤＭ記号に基づいてＡＧＣを実行し、受信機利得を決定することができる。受信機１０５４はその後、受信機利得に基づいて、Ｆ−ＱＰＣＨのためのＯＦＤＭ記号を処理することができる。
【００５１】
逆方向リンクで、端末１２０のＴＸデータプロセッサ１０７４は、データソース１０７２からのトラヒックデータ、及びコントローラ／プロセッサ１０６０からの制御情報を受信することができる。データ及び制御情報は、ＴＸデータプロセッサ１０７４によって処理（例えば、符号化、記号マップ化、及び変調）され、アンテナ１０５２を介して送信されうる逆方向リンク信号を生成するために送信機１０７６によって更に調整されうる。基地局１１０で、端末１２０及びその他の端末からの逆方向リンク信号がアンテナ１０１８によって受信され、受信機１０３２によって調整され、ＲＸデータプロセッサ１０３４によって復調及び復号されうる。
【００５２】
コントローラ／プロセッサ１０２０及び１０６０は、それぞれ基地局１１０及び端末１２０の動作を指示することができる。メモリ１０２２及び１０６２は、それぞれ、基地局１１０及び１２０のデータ及びプログラムコードを格納することができる。コントローラ／プロセッサ１０２０は、順方向リンクでのデータ及び制御情報の送信を指示することができる。コントローラ／プロセッサ１０２０はまた、例えば図４に示すように、スーパーフレームプレアンブルが本明細書で説明するように送信されるように、順方向リンクでの送信を制御することもできる。コントローラ／プロセッサ１０２０は、図８に示す処理８００及び／又は本明細書で説明する技術のためのその他の処理を実行することができる。コントローラ／プロセッサ１０６０は、例えば図５に示すように、アイドル状態である端末１２０の動作を制御することができる。コントローラ／プロセッサ１０６０は、図６に示す処理６００及び／又は本明細書で説明する技術のためのその他の処理を実行することができる。
【００５３】
本明細書で説明された技術は、様々な手段によって実現することができる。例えばこれらの技術は、ハードウェア、ファームウェア、ソフトウェア、又はこれらの組み合わせによって実現することができる。ハードウェアによる実現の場合、エンティティ（例えば端末又は基地局）の処理ユニットは、１つ又は複数の特定用途向け集積回路（ＡＳＩＣ）、デジタル信号プロセッサ（ＤＳＰ）、デジタル信号処理デバイス（ＤＳＰＤ）、プログラマブル論理デバイス（ＰＬＤ）、フィールド・プログラマブル・ゲート・アレイ（ＦＰＧＡ）、プロセッサ、コントローラ、マイクロコントローラ、マイクロプロセッサ、電子デバイス、上述された機能を実現するために設計されたその他の電子ユニット、コンピュータ、又はそれらの組み合わせにおいて実現されうる。
【００５４】
ファームウェア及び／又はソフトウェアによる実現の場合、本技術は、上述された機能を実現するために１つ又は複数のプロセッサによって実行されうるコード（例えば手順、関数、命令等）によって実現されうる。一般に、ファームウェア及び／又はソフトウェアコードを具体的に具現化する任意の機械／コンピュータ／プロセッサ読み取り可能媒体は、本明細書に示す技術の実現において用いることができる。例えばコードは、メモリ（例えば、図１０のメモリ１０２２又は１０６２）内に格納され、プロセッサ（例えば、プロセッサ１０２０又は１０６０）によって実行することができる。メモリは、プロセッサ内に、あるいはプロセッサに外付けで実装されうる。コードはまた、例えばランダム・アクセス・メモリ（ＲＡＭ）、読取専用メモリ（ＲＯＭ）、不揮発性ランダム・アクセス・メモリ（ＮＶＲＡＭ）、プログラマブル読取専用メモリ（ＰＲＯＭ）、電気的消去可能ＰＲＯＭ（ＥＥＰＲＯＭ）、ＦＬＡＳＨメモリ、フロッピー（登録商標）ディスク、磁気又は光データ記憶デバイス等のようなコンピュータ／プロセッサ読み取り可能媒体内に格納することができる。コードは、１つ又は複数のプロセッサによって実行可能であり、プロセッサに、本明細書で説明された機能のある局面を実行させることができる。
【００５５】
本開示の上記記載は、当業者をして、本開示の製造又は利用を可能とするために提供される。本開示への様々な変更が当業者には容易に明らかであり、本明細書で定義される一般原理は、本開示の精神又は範囲を逸脱することなく他の変形例にも適用されうる。従って、本開示は、本明細書で説明された例又は設計に限定することは意図されておらず、本明細書で開示された原理及び新規特徴と整合が取れた最も広い範囲と一致するように意図されている。
なお、以下に、出願当初の特許請求の範囲に記載された発明を付記する。
［発明１］
無線通信のための装置であって、
少なくとも１つの第１の直交周波数分割多重（ＯＦＤＭ）記号の受信電力を決定し、前記少なくとも１つの第１のＯＦＤＭ記号の受信電力に基づいて受信機利得を決定し、ページング情報を取得するために、前記受信機利得に基づいて少なくとも１つの第２のＯＦＤＭ記号を処理するように構成された少なくとも１つのプロセッサと、
前記少なくとも１つのプロセッサに接続されたメモリと
を備える装置。
［発明２］
前記少なくとも１つのプロセッサは、前記少なくとも１つの第１のＯＦＤＭ記号の持続期間より短い時間定数を有する自動利得制御（ＡＧＣ）ループに基づいて、前記受信機利得を決定するように構成される発明１に記載の装置。
［発明３］
前記少なくとも１つのプロセッサは、先行のアウェイク間隔から保存された受信機利得を用いて前記ＡＧＣループを初期化し、次のアウェイク間隔で用いるために現在のアウェイク間隔の受信機利得を保存するように構成される発明２に記載の装置。
［発明４］
前記少なくとも１つのプロセッサは、前記少なくとも１つの第１のＯＦＤＭ記号と、前記少なくとも１つの第２のＯＦＤＭ記号とを、スーパーフレームプレアンブルで受信するように構成される発明１に記載の装置。
［発明５］
前記少なくとも１つの第１のＯＦＤＭ記号と、前記少なくとも１つの第２のＯＦＤＭ記号とは、同様の又は周知の送信電力レベルで送信される発明１に記載の装置。
［発明６］
前記少なくとも１つのプロセッサは、前記少なくとも１つの第２のＯＦＤＭ記号の直前に、前記少なくとも１つの第１のＯＦＤＭ記号を受信するように構成される発明１に記載の装置。
［発明７］
前記少なくとも１つのプロセッサは、前記少なくとも１つの第１のＯＦＤＭ記号として単一のＯＦＤＭ記号をスーパーフレームプレアンブルの始点で受信するように構成され、前記単一のＯＦＤＭ記号は、無線通信システムのための制御情報を搬送する発明１に記載の装置。
［発明８］
前記少なくとも１つのプロセッサは、前記単一のＯＦＤＭ記号の直後、前記少なくとも１つの第２のＯＦＤＭ記号として４つの連続するＯＦＤＭ記号を受信するように構成される発明７に記載の装置。
［発明９］
前記少なくとも１つのプロセッサは、アイドル状態で動作している端末に割り当てられるスーパーフレームを決定し、前記割り当てられたスーパーフレーム間でスリープし、割り当てられた各スーパーフレーム内の前記少なくとも１つの第１のＯＦＤＭ記号と前記少なくとも１つの第２のＯＦＤＭ記号とを処理して前記ページング情報を取得するように構成される発明１に記載の装置。
［発明１０］
前記ページング情報は、ページが前記端末へ送信されているかを示す発明９に記載の装置。
［発明１１］
前記ページング情報は、ページングインジケータを備え、前記少なくとも１つのプロセッサは、前記ページング情報に基づいて、ページが前記端末へ潜在的に送信されたかを判定するように構成される発明９に記載の装置。
［発明１２］
前記少なくとも１つのプロセッサは、前記受信機利得に基づいて、少なくとも１つの捕捉パイロットのための少なくとも１つの第３のＯＦＤＭ記号を処理するように構成される発明１に記載の装置。
［発明１３］
前記少なくとも１つの第１のＯＦＤＭ記号は、順方向一次ブロードキャスト制御チャネル（Ｆ−ＰＢＣＣＨ）を備え、前記少なくとも１つの第２のＯＦＤＭ記号は、順方向クイック・ページング・チャネル（Ｆ−ＱＰＣＨ）を備える発明１に記載の装置。
［発明１４］
無線通信のための方法であって、
少なくとも１つの第１の直交周波数分割多重（ＯＦＤＭ）記号の受信電力を決定することと、
前記少なくとも１つの第１のＯＦＤＭ記号の受信電力に基づいて受信利得を決定することと、
ページング情報を取得するために、前記受信機利得に基づいて前記少なくとも１つの第２のＯＦＤＭ記号を処理することと
を備える方法。
［発明１５］
前記受信機利得を決定することは、前記少なくとも１つの第１のＯＦＤＭ記号の持続期間より短い時間定数を有する自動利得制御（ＡＧＣ）ループに基づいて、前記受信機利得を決定することを備える発明１４に記載の方法。
［発明１６］
前記少なくとも１つの第２のＯＦＤＭ記号の直前に、前記少なくとも１つの第１のＯＦＤＭ記号として単一のＯＦＤＭ記号を受信することを更に備える発明１４に記載の方法。
［発明１７］
アイドル状態で動作している端末に割り当てられるスーパーフレームを決定することと、
前記割り当てられたスーパーフレーム間でスリープすることと、
前記ページング情報を取得するために、割り当てられた各スーパーフレーム内の前記少なくとも１つの第１のＯＦＤＭ記号と、前記少なくとも１つの第２のＯＦＤＭ記号とを処理することと
を更に備える発明１４に記載の方法。
［発明１８］
前記ページング情報に基づいて、ページが前記端末へ送信されているか、前記端末へ潜在的に送信されたかを判定することを更に備える発明１７に記載の方法。
［発明１９］
無線通信のための装置であって、
少なくとも１つの第１の直交周波数分割多重（ＯＦＤＭ）記号の受信電力を決定する手段と、
前記少なくとも１つの第１のＯＦＤＭ記号の受信電力に基づいて受信機利得を決定する手段と、
ページング情報を取得するために、前記受信機利得に基づいて少なくとも１つの第２のＯＦＤＭ記号を処理する手段と
を備える装置。
［発明２０］
前記受信機利得を決定する手段は、前記少なくとも１つの第１のＯＦＤＭ記号の持続期間よりも短い時間定数を有する自動利得制御（ＡＧＣ）ループに基づいて前記受信機利得を決定する手段を備える発明１９に記載の装置。
［発明２１］
前記少なくとも１つの第２のＯＦＤＭ記号の直前に、前記少なくとも１つの第１のＯＦＤＭ記号として単一のＯＦＤＭ記号を受信する手段を更に備える発明１９に記載の装置。
［発明２２］
アイドル状態で動作している端末に割り当てられるスーパーフレームを決定する手段と、
前記割り当てられたスーパーフレーム間でスリープする手段と、
前記ページング情報を取得するために、割り当てられた各スーパーフレーム内の前記少なくとも１つの第１のＯＦＤＭ記号と前記少なくとも１つの第２のＯＦＤＭ記号とを処理する手段と
を更に備える発明１９に記載の装置。
［発明２３］
前記ページング情報に基づいて、ページが、前記端末に送信されているか、前記端末に潜在的に送信されたかを判定する手段を更に備える発明２２に記載の装置。
［発明２４］
少なくとも１つのコンピュータに、少なくとも１つの第１の直交周波数分割多重（ＯＦＤＭ）記号の受信電力を決定させるコードと、
前記少なくとも１つのコンピュータに、前記少なくとも１つの第１のＯＦＤＭ記号の受信電力に基づいて受信機利得を決定させるコードと、
ページング情報を取得するために、前記少なくとも１つのコンピュータに、前記受信機利得に基づいて少なくとも１つの第２のＯＦＤＭ記号を処理させるコードと
を備えるコンピュータ読取可能媒体を備えるコンピュータプログラム製品。
［発明２５］
無線通信のための装置であって、
制御情報を備える少なくとも１つの第１の直交周波数分割多重（ＯＦＤＭ）記号を送信し、前記少なくとも１つの第１のＯＦＤＭ記号に後続して、ページング情報を備える少なくとも１つの第２のＯＦＤＭ記号を送信するように構成された少なくとも１つのプロセッサであって、前記少なくとも１つの第１のＯＦＤＭ記号と前記少なくとも１つの第２のＯＦＤＭ記号とが同様の又は周知の電力レベルで送信され、前記少なくとも１つの第１のＯＦＤＭ記号は、前記少なくとも１つの第２のＯＦＤＭ記号の受信機利得を決定するために端末によって利用可能である少なくとも１つのプロセッサと、
前記少なくとも１つのプロセッサに接続されたメモリと
を備える装置。
［発明２６］
前記少なくとも１つのプロセッサは、前記少なくとも１つの第１のＯＦＤＭ記号として単一のＯＦＤＭ記号をスーパーフレームプレアンブルの始点で送信し、前記単一のＯＦＤＭ記号の直後に前記少なくとも１つの第２のＯＦＤＭ記号を送信するように構成される発明２５に記載の装置。
［発明２７］
前記少なくとも１つのプロセッサは、前記少なくとも１つの第２のＯＦＤＭ記号に後続して、少なくとも１つの捕捉パイロットとして少なくとも１つの第３のＯＦＤＭ記号を送信するように構成される発明２５に記載の装置。
［発明２８］
前記ページング情報は、ページが送信されているか、潜在的に送信された少なくとも１つの端末を識別する発明２５に記載の装置。
［発明２９］
無線通信のための方法であって、
制御情報を備える少なくとも１つの第１の直交周波数分割多重（ＯＦＤＭ）記号を送信することと、
前記少なくとも１つの第１のＯＦＤＭ記号に後続して、ページング情報を備える少なくとも１つの第２のＯＦＤＭ記号を送信することとを備え、
前記少なくとも１つの第１のＯＦＤＭ記号と前記少なくとも１つの第２のＯＦＤＭ記号とが同様の又は周知の送信電力レベルで送信され、前記少なくとも１つの第１のＯＦＤＭ記号は、前記少なくとも１つの第２のＯＦＤＭ記号の受信機利得を決定するために端末によって利用可能である方法。
［発明３０］
前記少なくとも１つの第１のＯＦＤＭ記号を送信することは、前記少なくとも１つの第１のＯＦＤＭ記号として単一のＯＦＤＭ記号をスーパーフレームプレアンブルの始点で送信することを備え、前記少なくとも１つの第２のＯＦＤＭ記号を送信することは、前記単一のＯＦＤＭ記号の直後に前記少なくとも１つの第２のＯＦＤＭ記号を送信することを備える発明２９に記載の方法。
［発明３１］
無線通信のための装置であって、
制御情報を備える少なくとも１つの第１の直交周波数分割多重（ＯＦＤＭ）記号を送信する手段と、
前記少なくとも１つの第１のＯＦＤＭ記号に後続して、ページング情報を備える少なくとも１つの第２のＯＦＤＭ記号を送信する手段とを備え、
前記少なくとも１つの第１のＯＦＤＭ記号と前記少なくとも１つの第２のＯＦＤＭ記号とが同様の又は周知の送信電力レベルで送信され、前記少なくとも１つの第１のＯＦＤＭ記号は、前記少なくとも１つの第２のＯＦＤＭ記号の受信機利得を決定するために端末によって利用可能である装置。
［発明３２］
前記少なくとも１つの第１のＯＦＤＭ記号を送信する手段は、前記少なくとも１つの第１のＯＦＤＭ記号として単一のＯＦＤＭ記号をスーパーフレームプレアンブルの始点で送信する手段を備え、前記少なくとも１つの第２のＯＦＤＭ記号を送信することは、前記単一のＯＦＤＭ記号の直後に前記少なくとも１つの第２のＯＦＤＭ記号を送信する手段を備える発明３１に記載の装置。
【図１】
0005518951.tif 000003
【図２】
0005518951.tif 000004
【図３】
0005518951.tif 000005
【図４】
0005518951.tif 000006
【図５】
0005518951.tif 000007
【図６】
0005518951.tif 000008
【図７】
0005518951.tif 000009
【図８】
0005518951.tif 000010
【図９】
0005518951.tif 000011
【図１０】
0005518951.tif 000012